(57)【特許請求の範囲】
【請求項１】
１以上の端末装置の種類を表す端末情報と、各々対応する端末装置の表示部の色域が標準色域なのか、前記標準色域ではない非標準色域なのかを表す色域判別情報と、各々対応する端末装置の表示部の色域を表す色域情報とを関連付けて記憶する色域情報記憶部と、
入力画像を取得する入力画像取得部と、
前記入力画像を入力した端末装置の種類を表す端末情報を取得する端末情報取得部と、
前記端末情報取得部により取得された端末情報に基づいて、前記色域情報記憶部から、前記取得された端末情報に関連付けられて記憶された色域判別情報を取得し、前記取得した色域判別情報に基づいて、前記入力画像が前記標準色域の標準色域画像なのか、前記非標準色域の非標準色域画像なのかを判別する入力画像判別部と、
前記入力画像が前記非標準色域画像であると判別された場合に、前記取得された端末情報に基づいて、前記色域情報記憶部から、前記取得された端末情報に関連付けられて記憶された色域情報を取得し、前記取得した色域情報に基づいて、プリント装置でプリントされる前記入力画像の色が、前記取得された端末情報に対応する端末装置の表示部に表示される前記入力画像の色と同じになるように、前記入力画像を前記プリント装置の色域に適した出力画像に色変換する第１の色変換部と、
ＲＧＢのバランスが異なる第１の２以上のグレーパッチを同時に前記端末装置の表示部に表示させ、前記第１の２以上のグレーパッチの中から選択された１つのグレーパッチのＲＧＢのバランスに基づいて、前記入力画像のグレーバランスを補正する第１のグレーバランス補正部とを備え、
前記第１の色変換部は、前記第１のグレーバランス補正部によりグレーバランスが補正された入力画像の色変換を行うものであり、
前記第１のグレーバランス補正部は、グレーパッチの選択画面として、ＲＧＢのバランスが等しい第１のグレーパッチ、および、前記第１のグレーパッチとはＲＧＢのバランスが異なる１以上の第２のグレーパッチからなる第２の２以上のグレーパッチを同時に前記端末装置の表示部に表示させて、前記第２の２以上のグレーパッチの中から、前記第１のグレーパッチ以外のグレーパッチが選択された場合に、前記入力画像のグレーバランスを補正するものであることを特徴とする画像処理装置。
【請求項２】
前記第１のグレーバランス補正部は、前記選択画面において、前記第２の２以上のグレーパッチの中から、前記第１のグレーパッチ以外のグレーパッチが選択された場合に、グレーパッチの確認画面として、前記第１のグレーパッチ、および、前記第２の２以上のグレーパッチの中から選択された１つのグレーパッチからなる第１の２つのグレーパッチを同時に前記端末装置の表示部に表示させて、前記第１の２つのグレーパッチの中から、前記第２の２以上のグレーパッチの中から選択された１つのグレーパッチが再び選択された場合に、前記入力画像のグレーバランスを補正するものである請求項１に記載の画像処理装置。
【請求項３】
前記第１のグレーバランス補正部は、前記第１の２つのグレーパッチとして、各々が顔画像を含む２つのグレーパッチを表示させるものである請求項２に記載の画像処理装置。
【請求項４】
１以上の端末装置の種類を表す端末情報と、各々対応する端末装置の表示部の色域が標準色域なのか、前記標準色域ではない非標準色域なのかを表す色域判別情報と、各々対応する端末装置の表示部の色域を表す色域情報とを関連付けて記憶する色域情報記憶部と、
入力画像を取得する入力画像取得部と、
前記入力画像を入力した端末装置の種類を表す端末情報を取得する端末情報取得部と、
前記端末情報取得部により取得された端末情報に基づいて、前記色域情報記憶部から、前記取得された端末情報に関連付けられて記憶された色域判別情報を取得し、前記取得した色域判別情報に基づいて、前記入力画像が前記標準色域の標準色域画像なのか、前記非標準色域の非標準色域画像なのかを判別する入力画像判別部と、
前記入力画像が前記非標準色域画像であると判別された場合に、前記取得された端末情報に基づいて、前記色域情報記憶部から、前記取得された端末情報に関連付けられて記憶された色域情報を取得し、前記取得した色域情報に基づいて、プリント装置でプリントされる前記入力画像の色が、前記取得された端末情報に対応する端末装置の表示部に表示される前記入力画像の色と同じになるように、前記入力画像を前記プリント装置の色域に適した出力画像に色変換する第１の色変換部と、
ＲＧＢのバランスが異なる第１の２以上のグレーパッチを同時に前記端末装置の表示部に表示させ、前記第１の２以上のグレーパッチの中から選択された１つのグレーパッチのＲＧＢのバランスに基づいて、前記入力画像のグレーバランスを補正する第１のグレーバランス補正部とを備え、
前記第１の色変換部は、前記第１のグレーバランス補正部によりグレーバランスが補正された入力画像の色変換を行うものであり、
前記第１のグレーバランス補正部は、グレーパッチの選択画面として、ＲＧＢのバランスが等しい第１のグレーパッチ、および、前記第１のグレーパッチとはＲＧＢのバランスが異なる１以上の第２のグレーパッチのうちの１つのグレーパッチからなる第２の２つのグレーパッチを同時に前記端末装置の表示部に表示させ、前記第２の２つのグレーパッチの中から、前記第１のグレーパッチ以外のグレーパッチが選択された場合に、前記第２の２つのグレーパッチの中から選択された１つのグレーパッチ、および、前記第２のグレーパッチのうちの、前記端末装置の表示部に表示させていない１つのグレーパッチからなる第３の２つのグレーパッチを同時に前記端末装置の表示部に表示させることを、前記第２のグレーパッチの全てを前記端末装置の表示部に表示させるまで繰り返し行って、前記第２のグレーパッチのうちの最後に同時に前記端末装置の表示部に表示させた第３の２つのグレーパッチの中から選択された１つのグレーパッチのＲＧＢのバランスに基づいて、前記入力画像のグレーバランスを補正するものであることを特徴とする画像処理装置。
【請求項５】
前記第１のグレーバランス補正部は、前記第２のグレーパッチのうちの最後に同時に前記端末装置の表示部に表示させた第３の２つのグレーパッチの中から１つのグレーパッチが選択された後、グレーパッチの確認画面として、前記第１のグレーパッチ、および、前記第２のグレーパッチのうちの最後に同時に前記端末装置の表示部に表示させた第３の２つのグレーパッチの中から選択された１つのグレーパッチからなる第４の２つのグレーパッチを同時に前記端末装置の表示部に表示させて、前記第４の２つのグレーパッチの中から、前記第２のグレーパッチのうちの最後に同時に前記端末装置の表示部に表示させた第３の２つのグレーパッチの中から選択された１つのグレーパッチが再び選択された場合に、前記入力画像のグレーバランスを補正するものである請求項４に記載の画像処理装置。
【請求項６】
前記第１のグレーバランス補正部は、前記第４の２つのグレーパッチとして、各々が顔画像を含む２つのグレーパッチを表示させるものである請求項５に記載の画像処理装置。
【請求項７】
前記第１のグレーバランス補正部は、前記選択画面として、前記第２の２つのグレーパッチを同時に前記端末装置の表示部に表示させた後、グレーパッチの詳細選択画面を表示する指示が入力された場合に、前記グレーパッチの詳細選択画面として、前記第２の２つのグレーパッチ、および、前記第２の２つのグレーパッチのうちの前記第２のグレーパッチのＢ、ＲまたはＧの値が異なる１以上のグレーパッチからなる３以上のグレーパッチを同時に前記端末装置の表示部に表示させ、前記３以上のグレーパッチの中から、前記第１のグレーパッチ以外のグレーパッチが選択された場合に、次の選択画面として、前記３以上のグレーパッチの中から選択された１つのグレーパッチ、および、前記第２のグレーパッチのうちの、前記端末装置の表示部に表示させていない１つのグレーパッチからなる２つのグレーパッチを表示させるものである請求項４〜６のいずれか１項に記載の画像処理装置。
【請求項８】
前記第１のグレーバランス補正部は、前記第１、および、前記３以上のグレーパッチからなる４以上のグレーパッチとして、各々が前記４以上のグレーパッチの間で分割された１つの顔画像を含む４以上のグレーパッチを表示させるものである請求項７に記載の画像処理装置。
【請求項９】
前記第１のグレーバランス補正部は、前記選択画面として、前記第２の２つのグレーパッチを同時に前記端末装置の表示部に表示させた後、グレーパッチの詳細選択画面を表示する指示が入力された場合に、前記グレーパッチの詳細選択画面として、前記第１のグレーパッチと、前記第２の２つのグレーパッチのうちの前記第２のグレーパッチ、および、前記第２の２つのグレーパッチのうちの前記第２のグレーパッチのＢ、ＲまたはＧの値が異なる１以上のグレーパッチからなる第３の２以上のグレーパッチのうちの１つのグレーパッチとからなる第５の２つのグレーパッチを同時に前記端末装置の表示部に表示させることを、前記第３の２以上のグレーパッチから１つのグレーパッチが選択されるか、あるいは、前記第３の２以上のグレーパッチの全てを前記端末装置の表示部に表示させるまで繰り返し行って、いずれかの前記詳細選択画面の第５の２つのグレーパッチの中から、前記第１のグレーパッチ以外のグレーパッチが選択された場合に、グレーパッチの確認画面として、前記第１のグレーパッチ以外のグレーパッチが選択された詳細選択画面の第５の２つのグレーパッチを同時に前記端末装置の表示部に表示させるものである請求項４〜６のいずれか１項に記載の画像処理装置。
【請求項１０】
前記第１のグレーバランス補正部は、前記第５の２つのグレーパッチとして、各々が前記第５の２つのグレーパッチの間で分割された１つの顔画像を含む２つのグレーパッチを表示させるものである請求項９に記載の画像処理装置。
【請求項１１】
前記入力画像が前記標準色域画像であると判別された場合に、前記標準色域画像の標準色域情報に基づいて、前記プリント装置でプリントされる前記入力画像の色が、前記標準色域を有する標準表示装置で表示される前記入力画像の色と同じになるように、前記入力画像を前記プリント装置の色域に適した出力画像に色変換する第２の色変換部を備える請求項１〜１０のいずれか１項に記載の画像処理装置。
【請求項１２】
ＲＧＢのバランスが異なる第４の２以上のグレーパッチを同時に前記端末装置の表示部に表示させ、前記第４の２以上のグレーパッチの中から選択された１つのグレーパッチのＲＧＢのバランスに基づいて、前記入力画像のグレーバランスを補正する第２のグレーバランス補正部を備え、
前記第２の色変換部は、前記第２のグレーバランス補正部によりグレーバランスが補正された入力画像の色変換を行うものである請求項１１に記載の画像処理装置。
【請求項１３】
前記入力画像が前記標準色域画像であると判別された場合に、前記標準色域画像の標準色域情報に基づいて、前記プリント装置でプリントされる前記入力画像の色が、前記標準色域を有する標準表示装置で表示される前記入力画像の色と同じになるように、前記入力画像を前記プリント装置の色域に適した出力画像に色変換する第３の色変換部を備え、
前記第２の色変換部は、ｓＲＧＢの標準色空間における標準色域を有する標準色域画像に基づいて、前記入力画像の色変換を行うものであり、
前記第３の色変換部は、ＡｄｏｂｅＲＧＢの標準色空間における標準色域を有する標準色域画像に基づいて、前記入力画像の色変換を行うものである請求項１１に記載の画像処理装置。
【請求項１４】
前記第１の色変換部は、前記プリント装置でプリントされる前記入力画像の色が、前記取得された端末情報に対応する端末装置の表示部に設定されている輝度で、前記取得された端末情報に対応する端末装置の表示部に表示される前記入力画像の色と同じになるように、前記入力画像を色変換するものである請求項１〜１３のいずれか１項に記載の画像処理装置。
【請求項１５】
前記第１の色変換部は、前記プリント装置でプリントされる前記入力画像の色が、前記取得された端末情報に対応する端末装置の表示部に設定可能な最大輝度で、前記取得された端末情報に対応する端末装置の表示部に表示される前記入力画像の色と同じになるように、前記入力画像を色変換するものである請求項１〜１３のいずれか１項に記載の画像処理装置。
【請求項１６】
入力画像取得部が、入力画像を取得するステップと、
端末情報取得部が、前記入力画像を入力した端末装置の種類を表す端末情報を取得するステップと、
入力画像判別部が、前記端末情報取得部により取得された端末情報に基づいて、色域情報記憶部から、前記取得された端末情報に関連付けられて記憶された、前記取得された端末情報に対応する端末装置の表示部の色域が標準色域なのか、前記標準色域ではない非標準色域なのかを表す色域判別情報を取得し、前記取得した色域判別情報に基づいて、前記入力画像が前記標準色域の標準色域画像なのか、前記非標準色域の非標準色域画像なのかを判別するステップと、
第１の色変換部が、前記入力画像が前記非標準色域画像であると判別された場合に、前記端末情報取得部により取得された端末情報に基づいて、前記色域情報記憶部から、前記取得された端末情報に関連付けられて記憶された、前記取得された端末情報に対応する端末装置の表示部の色域を表す色域情報を取得し、前記取得した色域情報に基づいて、プリント装置でプリントされる前記入力画像の色が、前記取得された端末情報に対応する端末装置の表示部に表示される前記入力画像の色と同じになるように、前記入力画像を前記プリント装置の色域に適した出力画像に色変換するステップと、
第１のグレーバランス補正部が、ＲＧＢのバランスが異なる第１の２以上のグレーパッチを同時に前記端末装置の表示部に表示させ、前記第１の２以上のグレーパッチの中から選択された１つのグレーパッチのＲＧＢのバランスに基づいて、前記入力画像のグレーバランスを補正するステップとを含み、
前記第１の色変換部は、前記第１のグレーバランス補正部によりグレーバランスが補正された入力画像の色変換を行い、
前記第１のグレーバランス補正部は、グレーパッチの選択画面として、ＲＧＢのバランスが等しい第１のグレーパッチ、および、前記第１のグレーパッチとはＲＧＢのバランスが異なる１以上の第２のグレーパッチからなる第２の２以上のグレーパッチを同時に前記端末装置の表示部に表示させて、前記第２の２以上のグレーパッチの中から、前記第１のグレーパッチ以外のグレーパッチが選択された場合に、前記入力画像のグレーバランスを補正することを特徴とする画像処理方法。
【請求項１７】
入力画像取得部が、入力画像を取得するステップと、
端末情報取得部が、前記入力画像を入力した端末装置の種類を表す端末情報を取得するステップと、
入力画像判別部が、前記端末情報取得部により取得された端末情報に基づいて、色域情報記憶部から、前記取得された端末情報に関連付けられて記憶された、前記取得された端末情報に対応する端末装置の表示部の色域が標準色域なのか、前記標準色域ではない非標準色域なのかを表す色域判別情報を取得し、前記取得した色域判別情報に基づいて、前記入力画像が前記標準色域の標準色域画像なのか、前記非標準色域の非標準色域画像なのかを判別するステップと、
第１の色変換部が、前記入力画像が前記非標準色域画像であると判別された場合に、前記端末情報取得部により取得された端末情報に基づいて、前記色域情報記憶部から、前記取得された端末情報に関連付けられて記憶された、前記取得された端末情報に対応する端末装置の表示部の色域を表す色域情報を取得し、前記取得した色域情報に基づいて、プリント装置でプリントされる前記入力画像の色が、前記取得された端末情報に対応する端末装置の表示部に表示される前記入力画像の色と同じになるように、前記入力画像を前記プリント装置の色域に適した出力画像に色変換するステップと、
第１のグレーバランス補正部が、ＲＧＢのバランスが異なる第１の２以上のグレーパッチを同時に前記端末装置の表示部に表示させ、前記第１の２以上のグレーパッチの中から選択された１つのグレーパッチのＲＧＢのバランスに基づいて、前記入力画像のグレーバランスを補正するステップとを含み、
前記第１の色変換部は、前記第１のグレーバランス補正部によりグレーバランスが補正された入力画像の色変換を行い、
前記第１のグレーバランス補正部は、グレーパッチの選択画面として、ＲＧＢのバランスが等しい第１のグレーパッチ、および、前記第１のグレーパッチとはＲＧＢのバランスが異なる１以上の第２のグレーパッチのうちの１つのグレーパッチからなる第２の２つのグレーパッチを同時に前記端末装置の表示部に表示させ、前記第２の２つのグレーパッチの中から、前記第１のグレーパッチ以外のグレーパッチが選択された場合に、前記第２の２つのグレーパッチの中から選択された１つのグレーパッチ、および、前記第２のグレーパッチのうちの、前記端末装置の表示部に表示させていない１つのグレーパッチからなる第３の２つのグレーパッチを同時に前記端末装置の表示部に表示させることを、前記第２のグレーパッチの全てを前記端末装置の表示部に表示させるまで繰り返し行って、前記第２のグレーパッチのうちの最後に同時に前記端末装置の表示部に表示させた第３の２つのグレーパッチの中から選択された１つのグレーパッチのＲＧＢのバランスに基づいて、前記入力画像のグレーバランスを補正することを特徴とする画像処理方法。
【請求項１８】
第２の色変換部が、前記入力画像が前記標準色域画像であると判別された場合に、前記標準色域画像の標準色域情報に基づいて、前記プリント装置でプリントされる前記入力画像の色が、前記標準色域を有する標準表示装置で表示される前記入力画像の色と同じになるように、前記入力画像を前記プリント装置の色域に適した出力画像に色変換するステップを含む請求項１６または１７に記載の画像処理方法。
【請求項１９】
各々の前記端末装置の表示部の色域情報、および、前記標準色域画像の標準色域情報に基づいて、各々の前記端末装置の表示部の色域の形状およびサイズと、前記標準色域画像の標準色域の形状およびサイズとを比較して前記色域判別情報を決定する請求項１６〜１８のいずれか１項に記載の画像処理方法。
【請求項２０】
請求項１６〜１９のいずれか１項に記載の画像処理方法の各々のステップをコンピュータに実行させるプログラム。
【請求項２１】
請求項１６〜１９のいずれか１項に記載の画像処理方法の各々のステップをコンピュータに実行させるプログラムが記録されたコンピュータ読み取り可能な記録媒体。
【発明の詳細な説明】
【技術分野】
【０００１】
本発明は、入力画像をプリント装置の色域に適した出力画像に色変換する画像処理装置、画像処理方法、プログラムおよび記録媒体に関するものである。
【背景技術】
【０００２】
従来、デジタルカメラ等の画像撮影装置により撮影された画像をプリント装置でプリントする場合、画像処理装置により、画像がプリント装置の色域に適した画像に色変換された後、プリント装置でプリントされている。この場合、画像処理装置では、画像がｓＲＧＢ等の標準色空間における標準色域を有する標準色域画像であると想定されて、プリント装置の色域に適した画像に変換されている。
【０００３】
近年、スマートフォンやタブレット端末等の、カメラ機能を備える端末装置の普及により、端末装置で画像を撮影、閲覧する機会が増えている。しかし、端末装置の表示部の色域は、標準色域に一致していない場合が多く、プリント装置でプリントされた画像と、端末装置の表示部に表示された画像とを比べると、両者の間で色が異なり、違和感があるという問題があった。
【０００４】
例えば、ユーザＡとユーザＢが、ＳＮＳ（ソーシャルネットワークシステム）上にある同じ１枚の画像を端末装置で見ていても、両者が使っている端末装置が異なれば、ユーザＡが見ている画像の色とユーザＢが見ている画像の色は異なる。
【０００５】
このように、従来は、画像をプリントする場合、誰が見ても好ましい標準的な色の画像（肌色、記憶色、階調重視の画像）となるように画像がプリントされているが、各々のユーザの端末装置の表示部に表示される画像とは違う色であった。
【０００６】
本発明に関連性のある先行技術文献として、特許文献１および２がある。
【０００７】
特許文献１の目的は、入力データ源の種類によって入力想定色域が異なる場合でも、入力想定色域の色を良好に色再現させ、かつ、入力想定色域以外の色に対しても色再現を保証することである。
同文献は、原稿種類（例えば、スキャナが読み取りを行う反射原稿／ポジフィルム／ネガフィルム等）に応じて入力想定色域を規定し、入力想定色域内にある色とそれより外にある色とで、プリンタ色域への圧縮の仕方を変えるものである。
しかし、同文献は、スキャナの読み取り原稿の種類によって入力想定の色域を切り換えるものであり、カラー画像が入力される場合に、そのカラー画像を入力したデバイスの色域の差を吸収するものではない。
【０００８】
特許文献２の目的は、各画像に適した色変換を行うことである。
同文献は、画像の色調（モノトーン、カラー）に応じて使用する色変換テーブルを変更するものである。
しかし、同文献は、入力画像がモノトーンなのかカラー画像なのかの判別のみを行うものであり、カラー画像の色域に応じて異なる色変換を適用することはできない。
【先行技術文献】
【特許文献】
【０００９】
【特許文献１】特開２００７−３２４９８９号公報
【特許文献２】特開２００４−１３５１２５号公報
【発明の概要】
【発明が解決しようとする課題】
【００１０】
本発明の目的は、前記従来技術の問題点を解消し、プリント装置でプリントされる画像の色が、端末装置の表示部に表示される画像の色と同じになるように、画像を色変換することができる画像処理装置、画像処理方法、プログラムおよび記録媒体を提供することにある。
【課題を解決するための手段】
【００１１】
上記目的を達成するために、本発明は、１以上の端末装置の種類を表す端末情報と、各々対応する端末装置の表示部の色域が標準色域なのか、標準色域ではない非標準色域なのかを表す色域判別情報と、各々対応する端末装置の表示部の色域を表す色域情報とを関連付けて記憶する色域情報記憶部と、
入力画像を取得する入力画像取得部と、
入力画像を入力した端末装置の種類を表す端末情報を取得する端末情報取得部と、
端末情報取得部により取得された端末情報に基づいて、色域情報記憶部から、取得された端末情報に関連付けられて記憶された色域判別情報を取得し、取得した色域判別情報に基づいて、入力画像が標準色域の標準色域画像なのか、非標準色域の非標準色域画像なのかを判別する入力画像判別部と、
入力画像が非標準色域画像であると判別された場合に、取得された端末情報に基づいて、色域情報記憶部から、取得された端末情報に関連付けられて記憶された色域情報を取得し、取得した色域情報に基づいて、プリント装置でプリントされる入力画像の色が、取得された端末情報に対応する端末装置の表示部に表示される入力画像の色と同じになるように、入力画像をプリント装置の色域に適した出力画像に色変換する第１の色変換部と、
ＲＧＢのバランスが異なる第１の２以上のグレーパッチを同時に端末装置の表示部に表示させ、第１の２以上のグレーパッチの中から選択された１つのグレーパッチのＲＧＢのバランスに基づいて、入力画像のグレーバランスを補正する第１のグレーバランス補正部とを備え、
第１の色変換部は、第１のグレーバランス補正部によりグレーバランスが補正された入力画像の色変換を行うものであり、
第１のグレーバランス補正部は、グレーパッチの選択画面として、ＲＧＢのバランスが等しい第１のグレーパッチ、および、第１のグレーパッチとはＲＧＢのバランスが異なる１以上の第２のグレーパッチからなる第２の２以上のグレーパッチを同時に端末装置の表示部に表示させて、第２の２以上のグレーパッチの中から、第１のグレーパッチ以外のグレーパッチが選択された場合に、入力画像のグレーバランスを補正するものであることを特徴とする画像処理装置を提供するものである。
【００１４】
また、第１のグレーバランス補正部は、選択画面において、第２の２以上のグレーパッチの中から、第１のグレーパッチ以外のグレーパッチが選択された場合に、グレーパッチの確認画面として、第１のグレーパッチ、および、第２の２以上のグレーパッチの中から選択された１つのグレーパッチからなる第１の２つのグレーパッチを同時に端末装置の表示部に表示させて、第１の２つのグレーパッチの中から、第２の２以上のグレーパッチの中から選択された１つのグレーパッチが再び選択された場合に、入力画像のグレーバランスを補正するものであることが好ましい。
【００１５】
また、第１のグレーバランス補正部は、第１の２つのグレーパッチとして、各々が顔画像を含む２つのグレーパッチを表示させるものであることが好ましい。
【００１６】
また、本発明は、１以上の端末装置の種類を表す端末情報と、各々対応する端末装置の表示部の色域が標準色域なのか、標準色域ではない非標準色域なのかを表す色域判別情報と、各々対応する端末装置の表示部の色域を表す色域情報とを関連付けて記憶する色域情報記憶部と、
入力画像を取得する入力画像取得部と、
入力画像を入力した端末装置の種類を表す端末情報を取得する端末情報取得部と、
端末情報取得部により取得された端末情報に基づいて、色域情報記憶部から、取得された端末情報に関連付けられて記憶された色域判別情報を取得し、取得した色域判別情報に基づいて、入力画像が標準色域の標準色域画像なのか、非標準色域の非標準色域画像なのかを判別する入力画像判別部と、
入力画像が非標準色域画像であると判別された場合に、取得された端末情報に基づいて、色域情報記憶部から、取得された端末情報に関連付けられて記憶された色域情報を取得し、取得した色域情報に基づいて、プリント装置でプリントされる入力画像の色が、取得された端末情報に対応する端末装置の表示部に表示される入力画像の色と同じになるように、入力画像をプリント装置の色域に適した出力画像に色変換する第１の色変換部と、
ＲＧＢのバランスが異なる第１の２以上のグレーパッチを同時に端末装置の表示部に表示させ、第１の２以上のグレーパッチの中から選択された１つのグレーパッチのＲＧＢのバランスに基づいて、入力画像のグレーバランスを補正する第１のグレーバランス補正部とを備え、
第１の色変換部は、第１のグレーバランス補正部によりグレーバランスが補正された入力画像の色変換を行うものであり、
第１のグレーバランス補正部は、グレーパッチの選択画面として、ＲＧＢのバランスが等しい第１のグレーパッチ、および、第１のグレーパッチとはＲＧＢのバランスが異なる１以上の第２のグレーパッチのうちの１つのグレーパッチからなる第２の２つのグレーパッチを同時に端末装置の表示部に表示させ、第２の２つのグレーパッチの中から、第１のグレーパッチ以外のグレーパッチが選択された場合に、第２の２つのグレーパッチの中から選択された１つのグレーパッチ、および、第２のグレーパッチのうちの、端末装置の表示部に表示させていない１つのグレーパッチからなる第３の２つのグレーパッチを同時に端末装置の表示部に表示させることを、第２のグレーパッチの全てを端末装置の表示部に表示させるまで繰り返し行って、第２のグレーパッチのうちの最後に同時に端末装置の表示部に表示させた第３の２つのグレーパッチの中から選択された１つのグレーパッチのＲＧＢのバランスに基づいて、入力画像のグレーバランスを補正するものであることを特徴とする画像処理装置を提供する。
【００１７】
また、第１のグレーバランス補正部は、第２のグレーパッチのうちの最後に同時に端末装置の表示部に表示させた第３の２つのグレーパッチの中から１つのグレーパッチが選択された後、グレーパッチの確認画面として、第１のグレーパッチ、および、第２のグレーパッチのうちの最後に同時に端末装置の表示部に表示させた第３の２つのグレーパッチの中から選択された１つのグレーパッチからなる第４の２つのグレーパッチを同時に端末装置の表示部に表示させて、第４の２つのグレーパッチの中から、第２のグレーパッチのうちの最後に同時に端末装置の表示部に表示させた第３の２つのグレーパッチの中から選択された１つのグレーパッチが再び選択された場合に、入力画像のグレーバランスを補正するものであることが好ましい。
【００１８】
また、第１のグレーバランス補正部は、第４の２つのグレーパッチとして、各々が顔画像を含む２つのグレーパッチを表示させるものであることが好ましい。
【００１９】
また、第１のグレーバランス補正部は、選択画面として、第２の２つのグレーパッチを同時に端末装置の表示部に表示させた後、グレーパッチの詳細選択画面を表示する指示が入力された場合に、グレーパッチの詳細選択画面として、第２の２つのグレーパッチ、および、第２の２つのグレーパッチのうちの第２のグレーパッチのＢ、ＲまたはＧの値が異なる１以上のグレーパッチからなる３以上のグレーパッチを同時に端末装置の表示部に表示させ、３以上のグレーパッチの中から、第１のグレーパッチ以外のグレーパッチが選択された場合に、次の選択画面として、３以上のグレーパッチの中から選択された１つのグレーパッチ、および、第２のグレーパッチのうちの、端末装置の表示部に表示させていない１つのグレーパッチからなる２つのグレーパッチを表示させるものであることが好ましい。
【００２０】
また、第１のグレーバランス補正部は、第１、および、３以上のグレーパッチからなる４以上のグレーパッチとして、各々が４以上のグレーパッチの間で分割された１つの顔画像を含む４以上のグレーパッチを表示させるものであることが好ましい。
【００２１】
また、第１のグレーバランス補正部は、選択画面として、第２の２つのグレーパッチを同時に端末装置の表示部に表示させた後、グレーパッチの詳細選択画面を表示する指示が入力された場合に、グレーパッチの詳細選択画面として、第１のグレーパッチと、第２の２つのグレーパッチのうちの第２のグレーパッチ、および、第２の２つのグレーパッチのうちの第２のグレーパッチのＢ、ＲまたはＧの値が異なる１以上のグレーパッチからなる第３の２以上のグレーパッチのうちの１つのグレーパッチとからなる第５の２つのグレーパッチを同時に端末装置の表示部に表示させることを、第３の２以上のグレーパッチから１つのグレーパッチが選択されるか、あるいは、第３の２以上のグレーパッチの全てを端末装置の表示部に表示させるまで繰り返し行って、いずれかの詳細選択画面の第５の２つのグレーパッチの中から、第１のグレーパッチ以外のグレーパッチが選択された場合に、グレーパッチの確認画面として、第１のグレーパッチ以外のグレーパッチが選択された詳細選択画面の第５の２つのグレーパッチを同時に端末装置の表示部に表示させるものであることが好ましい。
【００２２】
また、第１のグレーバランス補正部は、第５の２つのグレーパッチとして、各々が第５の２つのグレーパッチの間で分割された１つの顔画像を含む２つのグレーパッチを表示させるものであることが好ましい。
【００２３】
また、入力画像が標準色域画像であると判別された場合に、標準色域画像の標準色域情報に基づいて、プリント装置でプリントされる入力画像の色が、標準色域を有する標準表示装置で表示される入力画像の色と同じになるように、入力画像をプリント装置の色域に適した出力画像に色変換する第２の色変換部を備えることが好ましい。
【００２４】
また、ＲＧＢのバランスが異なる第４の２以上のグレーパッチを同時に端末装置の表示部に表示させ、第４の２以上のグレーパッチの中から選択された１つのグレーパッチのＲＧＢのバランスに基づいて、入力画像のグレーバランスを補正する第２のグレーバランス補正部を備え、
第２の色変換部は、第２のグレーバランス補正部によりグレーバランスが補正された入力画像の色変換を行うものであることが好ましい。
【００２５】
また、入力画像が標準色域画像であると判別された場合に、標準色域画像の標準色域情報に基づいて、プリント装置でプリントされる入力画像の色が、標準色域を有する標準表示装置で表示される入力画像の色と同じになるように、入力画像をプリント装置の色域に適した出力画像に色変換する第３の色変換部を備え、
第２の色変換部は、ｓＲＧＢの標準色空間における標準色域を有する標準色域画像に基づいて、入力画像の色変換を行うものであり、
第３の色変換部は、ＡｄｏｂｅＲＧＢの標準色空間における標準色域を有する標準色域画像に基づいて、入力画像の色変換を行うものであることが好ましい。
【００２６】
また、第１の色変換部は、プリント装置でプリントされる入力画像の色が、取得された端末情報に対応する端末装置の表示部に設定されている輝度で、取得された端末情報に対応する端末装置の表示部に表示される入力画像の色と同じになるように、入力画像を色変換するものであることが好ましい。
【００２７】
また、第１の色変換部は、プリント装置でプリントされる入力画像の色が、取得された端末情報に対応する端末装置の表示部に設定可能な最大輝度で、取得された端末情報に対応する端末装置の表示部に表示される入力画像の色と同じになるように、入力画像を色変換するものであることが好ましい。
【００２８】
また、本発明は、入力画像取得部が、入力画像を取得するステップと、
端末情報取得部が、入力画像を入力した端末装置の種類を表す端末情報を取得するステップと、
入力画像判別部が、端末情報取得部により取得された端末情報に基づいて、色域情報記憶部から、取得された端末情報に関連付けられて記憶された、取得された端末情報に対応する端末装置の表示部の色域が標準色域なのか、標準色域ではない非標準色域なのかを表す色域判別情報を取得し、取得した色域判別情報に基づいて、入力画像が標準色域の標準色域画像なのか、非標準色域の非標準色域画像なのかを判別するステップと、
第１の色変換部が、入力画像が非標準色域画像であると判別された場合に、端末情報取得部により取得された端末情報に基づいて、色域情報記憶部から、取得された端末情報に関連付けられて記憶された、取得された端末情報に対応する端末装置の表示部の色域を表す色域情報を取得し、取得した色域情報に基づいて、プリント装置でプリントされる入力画像の色が、取得された端末情報に対応する端末装置の表示部に表示される入力画像の色と同じになるように、入力画像をプリント装置の色域に適した出力画像に色変換するステップと、
第１のグレーバランス補正部が、ＲＧＢのバランスが異なる第１の２以上のグレーパッチを同時に端末装置の表示部に表示させ、第１の２以上のグレーパッチの中から選択された１つのグレーパッチのＲＧＢのバランスに基づいて、入力画像のグレーバランスを補正するステップとを含み、
第１の色変換部は、第１のグレーバランス補正部によりグレーバランスが補正された入力画像の色変換を行い、
第１のグレーバランス補正部は、グレーパッチの選択画面として、ＲＧＢのバランスが等しい第１のグレーパッチ、および、第１のグレーパッチとはＲＧＢのバランスが異なる１以上の第２のグレーパッチからなる第２の２以上のグレーパッチを同時に端末装置の表示部に表示させて、第２の２以上のグレーパッチの中から、第１のグレーパッチ以外のグレーパッチが選択された場合に、入力画像のグレーバランスを補正することを特徴とする画像処理方法を提供する。
また、本発明は、入力画像取得部が、入力画像を取得するステップと、
端末情報取得部が、入力画像を入力した端末装置の種類を表す端末情報を取得するステップと、
入力画像判別部が、端末情報取得部により取得された端末情報に基づいて、色域情報記憶部から、取得された端末情報に関連付けられて記憶された、取得された端末情報に対応する端末装置の表示部の色域が標準色域なのか、標準色域ではない非標準色域なのかを表す色域判別情報を取得し、取得した色域判別情報に基づいて、入力画像が標準色域の標準色域画像なのか、非標準色域の非標準色域画像なのかを判別するステップと、
第１の色変換部が、入力画像が非標準色域画像であると判別された場合に、端末情報取得部により取得された端末情報に基づいて、色域情報記憶部から、取得された端末情報に関連付けられて記憶された、取得された端末情報に対応する端末装置の表示部の色域を表す色域情報を取得し、取得した色域情報に基づいて、プリント装置でプリントされる入力画像の色が、取得された端末情報に対応する端末装置の表示部に表示される入力画像の色と同じになるように、入力画像をプリント装置の色域に適した出力画像に色変換するステップと、
第１のグレーバランス補正部が、ＲＧＢのバランスが異なる第１の２以上のグレーパッチを同時に端末装置の表示部に表示させ、第１の２以上のグレーパッチの中から選択された１つのグレーパッチのＲＧＢのバランスに基づいて、入力画像のグレーバランスを補正するステップとを含み、
第１の色変換部は、第１のグレーバランス補正部によりグレーバランスが補正された入力画像の色変換を行い、
第１のグレーバランス補正部は、グレーパッチの選択画面として、ＲＧＢのバランスが等しい第１のグレーパッチ、および、第１のグレーパッチとはＲＧＢのバランスが異なる１以上の第２のグレーパッチのうちの１つのグレーパッチからなる第２の２つのグレーパッチを同時に端末装置の表示部に表示させ、第２の２つのグレーパッチの中から、第１のグレーパッチ以外のグレーパッチが選択された場合に、第２の２つのグレーパッチの中から選択された１つのグレーパッチ、および、第２のグレーパッチのうちの、端末装置の表示部に表示させていない１つのグレーパッチからなる第３の２つのグレーパッチを同時に端末装置の表示部に表示させることを、第２のグレーパッチの全てを端末装置の表示部に表示させるまで繰り返し行って、第２のグレーパッチのうちの最後に同時に端末装置の表示部に表示させた第３の２つのグレーパッチの中から選択された１つのグレーパッチのＲＧＢのバランスに基づいて、入力画像のグレーバランスを補正することを特徴とする画像処理方法を提供する。
【００２９】
ここで、第２の色変換部が、入力画像が標準色域画像であると判別された場合に、標準色域画像の標準色域情報に基づいて、プリント装置でプリントされる入力画像の色が、標準色域を有する標準表示装置で表示される入力画像の色と同じになるように、入力画像をプリント装置の色域に適した出力画像に色変換するステップを含むことが好ましい。
【００３１】
また、各々の端末装置の表示部の色域情報、および、標準色域画像の標準色域情報に基づいて、各々の端末装置の表示部の色域の形状およびサイズと、標準色域画像の標準色域の形状およびサイズとを比較して色域判別情報を決定することが好ましい。
【００３２】
また、本発明は、上記のいずれかに記載の画像処理方法の各々のステップをコンピュータに実行させるプログラムを提供する。
【００３３】
また、本発明は、上記のいずれかに記載の画像処理方法の各々のステップをコンピュータに実行させるプログラムが記録されたコンピュータ読み取り可能な記録媒体を提供する。
【発明の効果】
【００３４】
本発明では、入力画像が標準色域画像なのか非標準色域画像なのかの判別が行われ、入力画像が非標準色域画像の場合に、プリントされる入力画像の色が、端末装置の表示部に表示される入力画像の色と同じになるように色変換が行われる。
これにより、本発明によれば、ユーザは、自分の端末装置の表示部に表示された画像と同じ色の画像をプリントすることができるため、両者の色が異なるという違和感を解消することができる。
【図面の簡単な説明】
【００３５】
【図１】本発明の画像処理装置の構成を表す第１の実施形態のブロック図である。
【図２】（Ａ）および（Ｂ）は、端末装置の種類ごとの表示部の色域を表す一例の概念図である。
【図３】図１に示す画像処理装置の動作を表す一例のフローチャートである。
【図４】各種の端末装置の表示部の白色点の位置を表す一例のグラフである。
【図５】本発明の画像処理装置の構成を表す第２の実施形態のブロック図である。
【図６】図５に示す画像処理装置の動作を表す一例のフローチャートである。
【図７】グレーバランスを補正する手順を表す一例の概念図である。
【図８】グレーバランスを補正する手順を表す一例の概念図である。
【図９】グレーバランスを補正する手順を表す一例の概念図である。
【図１０】グレーバランスを補正する手順を表す一例の概念図である。
【図１１】グレーバランスを補正する手順を表す一例の概念図である。
【図１２】グレーバランスを補正する手順を表す一例の概念図である。
【図１３】端末装置の表示部の色域を表す一例の概念図である。
【図１４】端末装置の表示部の色域を表す一例の概念図である。
【発明を実施するための形態】
【００３６】
以下に、添付の図面に示す好適実施形態に基づいて、本発明の画像処理装置、画像処理方法、プログラムおよび記録媒体を詳細に説明する。
【００３７】
図１は、本発明の画像処理装置の構成を表す第１の実施形態のブロック図である。同図に示す画像処理装置１０は、入力画像をプリント装置２４の色域に適した出力画像に色変換してプリント装置２４に出力するものであり、色域情報記憶部１２と、入力画像取得部１４と、端末情報取得部１６と、入力画像判別部１８と、第１および第２の色変換部２０および２２とによって構成されている。
【００３８】
色域情報記憶部１２は、１以上の端末装置の種類を表す端末情報と、各々対応する端末装置の表示部の色域が標準色域なのか、標準色域ではない非標準色域なのかを表す色域判別情報と、各々対応する端末装置の表示部の色域を表す色域情報（ＩＣＣ（インターナショナル・カラー・コンソーシアム）プロファイル等のデバイスプロファイル）とを関連付けて記憶するものである。
【００３９】
図２（Ａ）および（Ｂ）は、端末装置の種類ごとの表示部の色域を表す一例の概念図である。同図（Ａ）および（Ｂ）において、点線で囲まれた領域の内側は、Ｌ＊ａ＊ｂ＊色空間における標準色域画像の標準色域、実線で囲まれた領域の内側は、端末装置の表示部の色域を表す。同図（Ａ）に示す端末装置の表示部の色域は、標準色域画像の標準色域とほぼ同じである。これに対し、同図（Ｂ）に示す端末装置の表示部の色域は、標準色域画像の標準色域よりも狭くなっている。
【００４０】
このように、端末装置の表示部の色域は、端末装置の種類（機種）ごとに異なっている。また、端末装置に実装された表示部のメーカやロットの違い等の個体差により、同一機種であっても色域が異なる場合もある。
【００４１】
色域判別情報は、各々の端末装置の表示部の色域情報、および、標準色域画像の標準色域情報に基づいて、各々の端末装置の表示部の色域の形状およびサイズと、標準色域画像の標準色域の形状およびサイズとを比較することにより決定することができる。
色域判定情報は、人間が両者を比較して決定するのが最も簡単であるが、例えば、色域判別部を設け、色域判別部が、両者を比較して決定する構成とすることもできる。
【００４２】
図１３は、端末装置の表示部の色域を表す一例の概念図である。同図において、点線で囲まれた領域の内側は、Ｌ＊ａ＊ｂ＊色空間における標準色域画像の標準色域、実線で囲まれた領域の内側は、端末装置の表示部の色域を表す。
同図に示すように、各々の端末装置の表示部の色域におけるＣＭＹＲＧＢ（シアン、マゼンタ、イエロー、赤、緑、青）の各々の最大彩度点の第１のＬ＊ａ＊ｂ＊値と、標準色域画像の標準色域におけるＣＭＹＲＧＢの各々の最大彩度点の第２のＬ＊ａ＊ｂ＊値とを比較して、第１のＬ＊ａ＊ｂ＊値と第２のＬ＊ａ＊ｂ＊値との差が、あらかじめ設定された所定の範囲内（例えば、９５〜１０５％の範囲内）であれば、色域判別情報を、端末装置の表示部の色域が標準色域であることを表す情報に決定することができる。
【００４３】
図１４は、端末装置の表示部の色域を表す一例の概念図である。同図においても、点線で囲まれた領域の内側は、Ｌ＊ａ＊ｂ＊色空間における標準色域画像の標準色域、実線で囲まれた領域の内側は、端末装置の表示部の色域を表す。
同図に示すように、各々の端末装置の表示部の色域の領域内に含まれる第１の均等格子点の数と、標準色域画像の標準色域の領域内に含まれる第２の均等格子点の数とを比較して、第１の均等格子点の数と第２の均等格子点の数との差が、あらかじめ設定された所定の範囲内（例えば、９５〜１０５％の範囲内）であれば、色域判別情報を、端末装置の表示部の色域が標準色域であることを表す情報に決定することができる。
【００４４】
続いて、入力画像取得部１４は、端末装置を含む、各種の装置から入力される入力画像（入力画像の画像データ）を取得するものである。
【００４５】
端末情報取得部１６は、入力画像取得部１４により取得された入力画像の付帯情報から、入力画像を入力した端末装置の種類を表す端末情報を取得するものである。
付帯情報は、入力画像のヘッダ情報（Exif情報）として入力画像に一体的に付帯されていてもよいし、あるいは、入力画像とは分離された別の情報として入力画像に付帯されていてもよい。
また、端末情報取得部１６が入力画像の付帯情報から端末情報を取得することは必須ではなく、例えば、端末装置のプリントアプリケーションであれば、アプリケーション内で端末情報を取得することができるし、ウェブプリントアプリケーションであれば、javascript（登録商標）で端末情報を取得（トラッキング機能）することができる。端末情報取得部１６は、これらの端末情報を直接受け取るものであってもよい。
【００４６】
入力画像判別部１８は、端末情報取得部１６により取得された端末情報に基づいて、色域情報記憶部１２から、取得された端末情報に関連付けられて記憶された色域判別情報を取得し、取得した色域判別情報に基づいて、入力画像が標準色域の標準色域画像なのか、非標準色域の非標準色域画像なのかを判別するものである。
【００４７】
第１の色変換部２０は、入力画像判別部１８により、入力画像が非標準色域画像であると判別された場合に、端末情報取得部１６により取得された端末情報に基づいて、色域情報記憶部１２から、取得された端末情報に関連付けられて記憶された色域情報を取得し、取得した色域情報に基づいて、プリント装置２４でプリントされる入力画像の色が、取得された端末情報に対応する端末装置の表示部に表示される入力画像の色と同じになるように、入力画像をプリント装置２４の色域に適した出力画像に色変換するものである。
【００４８】
第１の色変換部２０は、第１のセットアップ部２６と、第１のマッピング部２８とを備えている。
第１のセットアップ部２６は、取得された端末情報に対応する色域情報に基づいて、例えば、自動露出（ＡＥ）補正、自動ホワイトバランス（ＡＷＢ）補正、階調補正、濃度補正、色味補正等の画質自動補正処理を入力画像に行うものである。
第１のマッピング部２８は、取得された端末情報に対応する色域情報、および、プリント装置２４の色域情報に基づいて、第１のセットアップ部２６により画質自動補正処理が行われた入力画像をプリント装置２４の色域に適した出力画像に色変換するものである。
【００４９】
続いて、第２の色変換部２２は、入力画像判別部１８により、入力画像が標準色域画像であると判別された場合に、ｓＲＧＢの標準色域画像の標準色域情報に基づいて、プリント装置２４でプリントされる入力画像の色が、標準色域を有する標準表示装置で表示される入力画像の色と同じになるように、入力画像をプリント装置２４の色域に適した出力画像に色変換するものである。
【００５０】
第２の色変換部２２は、第２のセットアップ部３０と、第２のマッピング部３２とを備えている。
第２のセットアップ部３０は、標準色域画像の標準色域情報に基づいて、画質自動補正処理を入力画像に行うものである。
第２のマッピング部３２は、標準色域画像の標準色域情報、および、プリント装置２４の色域情報に基づいて、第２のセットアップ部３０により画質自動補正処理が行われた入力画像をプリント装置２４の色域に適した出力画像に色変換するものである。
【００５１】
さらに、図示を省略しているが、第２の色変換部と同様の構成の第３の色変換部を設け、例えば、第２の色変換部２２が、ｓＲＧＢの標準色空間における標準色域を有する標準色域画像に基づいて、入力画像の色変換を行い、第３の色変換部が、ＡｄｏｂｅＲＧＢの標準色空間における標準色域を有する標準色域画像に基づいて、入力画像の色変換を行う構成としてもよい。
【００５２】
次に、図３に示すフローチャートに従って、画像処理装置１０の動作を説明する。
【００５３】
画像処理装置１０では、まず、入力画像取得部１４により入力画像が取得される（ステップＳ１）。
【００５４】
続いて、端末情報取得部１６により、取得された入力画像の付帯情報から、入力画像を入力した端末装置の種類を表す端末情報が取得される（ステップＳ２）。
【００５５】
続いて、入力画像判別部１８により、取得された端末情報に基づいて、色域情報記憶部１２から、取得された端末情報に対応する色域判別情報が取得される。そして、取得された色域判別情報に基づいて、本実施形態の場合、入力画像が、ｓＲＧＢの標準色域画像なのか、ｓＲＧＢの標準色域画像ではない非標準色域画像なのかの判別が行われる（ステップＳ３）。
【００５６】
その結果、入力画像が非標準色域画像であると判別された場合（ステップＳ４でＮＯ）、第１の色変換部２０により、取得された端末情報に基づいて、色域情報記憶部１２から、取得された端末情報に対応する色域情報が取得される。そして、取得された色域情報に基づいて、プリント装置２４でプリントされる入力画像の色が、取得された端末情報に対応する端末装置の表示部に表示される入力画像の色と同じになるように、入力画像がプリント装置２４の色域に適した出力画像に色変換される（ステップＳ５）。
【００５７】
一方、入力画像が、標準色域画像であると判別された場合（ステップＳ４でＹＥＳ）、第２の色変換部２２により、標準色域画像の標準色域情報に基づいて、プリント装置２４でプリントされる入力画像の色が、標準表示装置で表示される入力画像の色と同じになるように、入力画像がプリント装置２４の色域に適した出力画像に色変換される（ステップＳ６）。
【００５８】
最後に、プリント装置２４により、出力画像がプリントされる（ステップＳ７）。
【００５９】
このように、画像処理装置１０では、入力画像が標準色域画像なのか非標準色域画像なのかの判別が行われ、入力画像が非標準色域画像の場合には、プリントされる入力画像の色が、端末装置の表示部に表示される入力画像の色と同じになるように色変換が行われ、入力画像が標準色域画像の場合には、プリントされる入力画像の色が、標準表示装置に表示される入力画像の色と同じになるように色変換が行われる。
【００６０】
つまり、画像処理装置１０では、ユーザが、自分の端末装置の表示部に表示された画像と同じ色の画像をプリントすることができるため、両者の色が異なるという違和感を解消することができる。
【００６１】
なお、図示していない指示入力部（例えば、端末装置のタッチパネル）を介して指示を入力することにより、第１の色変換部２０または第２の色変換部２２を強制的に使用して画像をプリントさせる構成とすることもできる。
【００６２】
ところで、端末装置の表示部の白色点は、機種間差や、同一機種の個体差があるものの、ｓＲＧＢやＡｄｏｂｅＲＧＢ等の標準色空間に対応する標準色域の標準光源であるＤ５０／Ｄ６５の白色点とは異なることが多い。
【００６３】
図４は、各種の端末装置の表示部の白色点の位置を表す一例のグラフである。同図は、Ｌ＊ａ＊ｂ＊色空間の最大輝度におけるａ＊ｂ＊平面を表し、横軸がａ＊軸、縦軸がｂ＊軸である。例えば、標準光源Ｄ５０の白色点は、ａ＊＝０．０、かつ、ｂ＊＝０．０の原点の位置にある。これに対し、端末装置１〜４の表示部の白色点◆、■、▲、×は、ａ＊が約−３〜１、ｂ＊が約−４〜−８の範囲内の位置にあり、青みがかっていることが分かる。
【００６４】
そのため、端末装置の表示部に表示される画像のホワイトバランスを考慮して色変換を行うことが望ましい。
【００６５】
図５は、本発明の画像処理装置の構成を表す第２の実施形態のブロック図である。同図に示す画像処理装置４０は、図１に示す第１実施形態の画像処理装置１０において、さらに、第１および第２のグレーバランス補正部４２および４４を備えるものである。
【００６６】
ここでは、第１実施形態の画像処理装置１０の各構成要素と同じ第２実施形態の画像処理装置の構成要素に同じ符号を付して、繰り返しの説明を省略する。
つまり、画像処理装置４０は、色域情報記憶部１２と、入力画像取得部１４と、端末情報取得部１６と、入力画像判別部１８と、第１および第２の色変換部２０および２２と、第１および第２のグレーバランス補正部４２および４４とによって構成されている。
【００６７】
第１および第２のグレーバランス補正部４２および４４は、図７に示すように、ＲＧＢのバランスが異なる２以上のグレーパッチを同時に端末装置の表示部に表示させ、ユーザにより、端末装置の表示部に表示された２以上のグレーパッチの中から選択された１つのグレーパッチのＲＧＢのバランスに基づいて、例えば、マトリクス演算等により、入力画像のグレーバランスを補正するものである。これにより、端末装置の表示部のホワイトバランスを補正することができる。
【００６８】
次に、図６に示すフローチャートに従って、画像処理装置４０の動作を説明する。
【００６９】
画像処理装置４０において、ステップＳ４までの動作は、画像処理装置１０の場合と同じである。
【００７０】
続いて、入力画像が非標準色域画像であると判別された場合（ステップＳ４でＮＯ）、第１のグレーバランス補正部４２により、ＲＧＢのバランスが異なる２以上のグレーパッチが端末装置の表示部に表示され、端末装置の表示部に表示された２以上のグレーパッチの中から選択された１つのグレーパッチのＲＧＢのバランスに基づいて、入力画像のグレーバランスが補正される（ステップＳ８）。
【００７１】
続いて、第１の色変換部２０により、取得された端末情報に対応する色域情報に基づいて、第１のグレーバランス補正部４２によりグレーバランスが補正された入力画像に対して色変換が行われる（ステップＳ９）。
【００７２】
一方、入力画像が標準色域画像であると判別された場合（ステップＳ４でＹＥＳ）、同様に、第２のグレーバランス補正部４４により、ＲＧＢのバランスが異なる２以上のグレーパッチが端末装置の表示部に表示され、端末装置の表示部に表示された２以上のグレーパッチの中から選択された１つのグレーパッチのＲＧＢのバランスに基づいて、入力画像のグレーバランスが補正される（ステップＳ１０）。
【００７３】
続いて、第２の色変換部２２により、標準色域画像の標準色域情報に基づいて、第２のグレーバランス補正部４４によりグレーバランスが補正された入力画像に対して色変換が行われる（ステップＳ１１）。
【００７４】
最後に、プリント装置２４により、出力画像がプリントされる（ステップＳ１２）。
【００７５】
このように、画像処理装置４０では、２以上のグレーパッチが端末装置の表示部に表示され、ユーザにより選択された１つのグレーパッチのＲＧＢのバランスに基づいて、入力画像のグレーバランスが補正される。
【００７６】
つまり、端末装置の表示部に表示される画像のホワイトバランスを考慮して色変換を行うことができる。また、端末装置の表示部の表面には、各種のフィルム（反射防止フィルム、のぞき見防止フィルム、保護フィルム等）が貼り付けられることが多く、ユーザは、フィルム付きの色に慣れているが、画像処理装置４０では、フィルム付きの状態でグレーらしさを評価・補正することができる。
【００７７】
なお、第２のグレーバランス補正部４４を設けることは必須ではない。
【００７８】
次に、図８〜１２を参照して、グレーバランスを補正する具体的な手順について説明する。
【００７９】
まず、図８の例は、ＲＧＢバランスが異なる４つのグレーパッチを同時に表示させる構成としたものである。
図８の例では、左部に示すように、第１のグレーバランス補正部４２により、グレーパッチの選択画面として、Ｒ＝Ｇ＝Ｂの第１のグレーパッチ（１）、Ｂ＞Ｒ＝Ｇの第２のグレーパッチ（２）、Ｒ＞Ｇ＝Ｂの第３のグレーパッチ（３）、および、Ｇ＞Ｒ＝Ｂの第４のグレーパッチ（４）からなる４つのグレーパッチが同時に端末装置の表示部に表示される。
つまり、第１のグレーバランス補正部４２は、グレーパッチの選択画面として、ＲＧＢのバランスが等しい第１のグレーパッチ、および、第１のグレーパッチとはＲＧＢのバランスが異なる１以上の第２のグレーパッチ（前述の第２〜第４のグレーパッチに相当）からなる２以上のグレーパッチを同時に端末装置の表示部に表示させる。
ここで、第２のグレーパッチ（２）のＢ値は、Ｒ値およびＧ値との色差が１〜３程度であることが望ましい。第３および第４のグレーパッチ（３）および（４）についても同様である。
この例では、４つのグレーパッチ（１）〜（４）が行列方向に２つずつ並べて表示され、その下側に、「同じ」と記載されたボタンが表示されている。
【００８０】
なお、４つのグレーパッチ（１）〜（４）の表示方法は、上記に限定されず、例えば、横１行（行方向）に並べて表示してもよいし、縦１列（列方向）に並べて表示してもよい。
【００８１】
続いて、ユーザにより、４つのグレーパッチ（１）〜（４）の中から、ユーザが最もグレーであると思う（グレーに見える）１つのグレーパッチが選択される。
この例では、ユーザが、端末装置の表示部（タッチパネル）に表示された４つのグレーパッチ（１）〜（４）の中から、第４のグレーパッチ（４）を指でタッチすることにより、第４のグレーパッチ（４）が選択されたとする。
【００８２】
続いて、同図右部に示すように、第１のグレーバランス補正部４２により、グレーパッチの確認画面として、第１および第４のグレーパッチ（１）および（４）からなる２つのグレーパッチが表示される。
この例では、２つのグレーパッチ（１）および（４）が横１行（行方向）に並べて表示され、その下側に、「（４）でプリント」、「（１）のままプリント」および「戻る」と記載されたボタンが表示されている。
なお、確認画面を表示させることは必須ではない。
【００８３】
続いて、ユーザにより、確認画面の２つのグレーパッチ（１）および（４）の中から、ユーザが最もグレーであると思う１つのグレーパッチが選択される。
この例では、ユーザが、「（４）でプリント」と記載されたボタンを指でタッチすることにより、第４のグレーパッチ（４）が選択されると、第１のグレーバランス補正部４２により、第４のグレーパッチ（４）のＲＧＢのバランスに基づいて、入力画像のグレーバランスが補正される。
一方、ユーザが、「（１）のままプリント」と記載されたボタンを指でタッチすることにより、第１のグレーパッチ（１）が選択されると、入力画像のグレーバランスは補正されない。
また、ユーザが、「戻る」と記載されたボタンを指でタッチして選択すると、再び同図左部に示す選択画面に戻り、グレーパッチの選択をやり直すことができる。
【００８４】
なお、選択画面の第２または第３のグレーパッチ（２）または（３）が選択された場合、第１のグレーバランス補正部４２は、第４のグレーパッチ（４）が選択された場合と同様に動作する。
また、第１のグレーパッチ（１）または「同じ」と記載されたボタンが選択された場合、入力画像のグレーバランスは補正されない。
【００８５】
つまり、この例では、第１のグレーバランス補正部４２は、確認画面を表示させない場合、４つのグレーパッチ（１）〜（４）の中から、第１のグレーパッチ（１）以外のグレーパッチが選択された場合に、入力画像のグレーバランスを補正する。
【００８６】
また、第１のグレーバランス補正部４２は、確認画面を表示させる場合、選択画面の４つのグレーパッチ（１）〜（４）の中から、第１のグレーパッチ（１）以外のグレーパッチが選択された場合に、確認画面として、第１のグレーパッチ（１）、および、４つのグレーパッチ（１）〜（４）の中から選択された１つのグレーパッチからなる２つのグレーパッチを同時に端末装置の表示部に表示させて、この２つのグレーパッチの中から、４つのグレーパッチ（１）〜（４）の中から選択された１つのグレーパッチが再び選択された場合に、入力画像のグレーバランスを補正する。
【００８７】
なお、図８右部に示す確認画面では、２つのグレーパッチ（１）および（４）として、各々が顔画像を含む２つのグレーパッチが表示されている。
このように、グレーパッチに顔画像を含めて表示させることにより、ユーザがグレーを比較しやすくなるという利点がある。
また、確認画面において顔画像を含めてグレーパッチを表示させることは必須ではないし、逆に、選択画面において顔画像を含めてグレーパッチを表示させてもよい。
【００８８】
続いて、図９の例は、４つのグレーパッチ（１）〜（４）の中から、グレーパッチを２つずつ同時に表示させる構成としたものである。
図９の例では、左部に示すように、第１のグレーバランス補正部４２により、第１の選択画面として、４つのグレーパッチ（１）〜（４）のうちの第１および第２のグレーパッチ（１）および（２）からなる２つのグレーパッチが同時に端末装置の表示部に表示される。
この例では、第１および第２のグレーパッチ（１）および（２）が横１行に並べて表示されている。
【００８９】
続いて、ユーザにより、２つのグレーパッチ（１）および（２）の中から、ユーザが最もグレーであると思う１つのグレーパッチが選択される。
この例では、２つのグレーパッチ（１）および（２）の中から、第２のグレーパッチ（２）が選択されたとする。
このように、４つのグレーパッチ（１）〜（４）ではなく、２つのグレーパッチ（１）および（２）の中から１つのグレーパッチを選択させることにより、ユーザがグレーを比較しやすくなるという利点がある。
【００９０】
続いて、同図中央部に示すように、第１のグレーバランス補正部４２により、第２の選択画面として、第２および第３のグレーパッチ（２）および（３）からなる２つのグレーパッチが同時に端末装置の表示部に表示される。
この例では、同様に、２つのグレーパッチ（２）および（３）が横１行に並べて表示されている。
【００９１】
続いて、ユーザにより、２つのグレーパッチ（２）および（３）の中から、ユーザが最もグレーであると思う１つのグレーパッチが選択される。
この例では、２つのグレーパッチ（２）および（３）の中から、第２のグレーパッチ（２）が選択されたとする。
【００９２】
続いて、同図右部に示すように、第１のグレーバランス補正部４２により、第３の選択画面として、第２および第４のグレーパッチ（２）および（４）からなる２つのグレーパッチが同時に端末装置の表示部に表示される。
この例では、同様に、２つのグレーパッチ（２）および（４）が横１行に並べて表示されている。
【００９３】
続いて、ユーザにより、２つのグレーパッチ（２）および（４）の中から、ユーザが最もグレーであると思う１つのグレーパッチが選択される。
この例では、２つのグレーパッチ（２）および（４）の中から、第２のグレーパッチ（２）が選択されると、第１のグレーバランス補正部４２により、第２のグレーパッチ（２）のＲＧＢのバランスに基づいて、入力画像のグレーバランスが補正される。
一方、第４のグレーパッチ（４）が選択されると、第１のグレーバランス補正部４２により、第４のグレーパッチ（４）のＲＧＢのバランスに基づいて、入力画像のグレーバランスが補正される。
【００９４】
なお、各選択画面において、第２、第３および第４のグレーパッチが表示される順序は何ら限定されない。例えば、第３の選択画面で第３のグレーパッチ（３）が表示され、第３のグレーパッチが選択された場合、第１のグレーバランス補正部４２は、第３のグレーパッチ（３）のＲＧＢのバランスに基づいて、入力画像のグレーバランスを補正する。
また、各選択画面において、第１のグレーパッチが選択された場合、それ以降の選択画面は表示されず、入力画像のグレーバランスは補正されない。
また、各選択画面において、グレーパッチの下側には、「同じ」と記載されたボタンが表示されている。各選択画面において、ユーザが、「同じ」と記載されたボタンを指でタッチして選択すると、入力画像のグレーバランスは補正されない。
【００９５】
つまり、この例では、第１のグレーバランス補正部４２は、選択画面として、第１のグレーパッチ、および、第１のグレーパッチとはＲＧＢのバランスが異なる１以上の第２のグレーパッチ（前述の第２〜第４のグレーパッチに相当）のうちの１つのグレーパッチからなる２つのグレーパッチを同時に端末装置の表示部に表示させる。
続いて、２つのグレーパッチの中から、第１のグレーパッチ（１）以外のグレーパッチが選択された場合に、２つのグレーパッチの中から選択された１つのグレーパッチ、および、３つのグレーパッチ（２）〜（４）のうちの、端末装置の表示部に表示させていない１つのグレーパッチからなる２つのグレーパッチを同時に端末装置の表示部に表示させることを、３つのグレーパッチ（２）〜（４）の全てを端末装置の表示部に表示させるまで繰り返し行う。
そして、３つのグレーパッチ（２）〜（４）のうちの最後に同時に端末装置の表示部に表示させた２つのグレーパッチの中から選択された１つのグレーパッチのＲＧＢのバランスに基づいて、入力画像のグレーバランスを補正する。
【００９６】
また、２つのグレーパッチを最後に同時に端末装置の表示部に表示させた後、図８の例の場合と同様に、確認画面を表示させてもよいし、各選択画面および確認画面の２つのグレーパッチとして、各々が顔画像を含む２つグレーパッチを表示させてもよい。
【００９７】
確認画面を表示させる場合、第１のグレーバランス補正部４２は、３つのグレーパッチ（２）〜（４）のうちの最後に同時に端末装置の表示部に表示させた２つのグレーパッチの中から１つのグレーパッチが選択された後、確認画面として、第１のグレーパッチ（１）、および、３つのグレーパッチ（２）〜（４）のうちの最後に同時に端末装置の表示部に表示させた２つのグレーパッチの中から選択された１つのグレーパッチからなる２つのグレーパッチを同時に端末装置の表示部に表示させる。
そして、確認画面として、第１のグレーパッチ（１）、および、３つのグレーパッチ（２）〜（４）のうちの最後に同時に端末装置の表示部に表示させた２つのグレーパッチの中から選択された１つのグレーパッチからなる２つのグレーパッチの中から、３つのグレーパッチ（２）〜（４）のうちの最後に同時に端末装置の表示部に表示させた２つのグレーパッチの中から選択された１つのグレーパッチが再び選択された場合に、入力画像のグレーバランスを補正する。
【００９８】
続いて、図１０の例は、図９の例において、各選択画面の後に詳細選択画面を表示させることができる構成としたものである。
図１０に示す例では、左部に示すように、第１のグレーバランス補正部４２により、第１の選択画面として、第１および第２のグレーパッチ（１）および（２）からなる２つのグレーパッチが同時に端末装置の表示部に表示される。
この例では、第１および第２のグレーパッチ（１）および（２）が横１行に並べて表示され、その下側に、「同じ」および「詳細」と記載されたボタンが横１行に並べて表示されている。
第２のグレーパッチ（２）は、以下の説明を行う便宜上、Ｂ１＞Ｒ＝Ｇとしている。
【００９９】
続いて、ユーザが、「詳細」と記載されたボタンを指でタッチして選択したとする。
【０１００】
続いて、同図中央部に示すように、第１の詳細選択画面として、第１のグレーパッチ（１）、第２のグレーパッチ（２）、Ｂ０＋Δ＊１／３＞Ｒ＝Ｇの第２−１のグレーパッチ（２−１）、および、Ｂ０＋Δ＊２／３＞Ｒ＝Ｇの第２−２のグレーパッチ（２−２）からなる４つのグレーパッチが同時に端末装置の表示部に表示される。
ここで、Δ＝Ｂ１−Ｂ０である。Δ、つまり、Ｂ１値とＢ０値との色差は０．５〜１程度であることが望ましい。第３および第４のグレーパッチ（３）および（４）の場合も同様である。
この例では、４つのグレーパッチ（１）、（２）、（２−１）および（２−２）が横１行に並べて表示され、その下側に、「戻る」と記載されたボタンが表示されている。
【０１０１】
続いて、ユーザにより、４つのグレーパッチ（１）、（２）、（２−１）および（２−２）の中から、ユーザが最もグレーであると思う１つのグレーパッチが選択される。
この例では、ユーザにより、第２−２のグレーパッチ（２−２）が選択されたとする。
【０１０２】
続いて、同図右部に示すように、第１のグレーバランス補正部４２により、第２の選択画面として、第２−２および第３のグレーパッチ（２−２）および（３）からなる２つのグレーパッチが同時に端末装置の表示部に表示される。
この例では、同様に、２つのグレーパッチ（２−２）および（３）が横１行に並べて表示され、その下側に、「同じ」および「詳細」と記載されたボタンが横１行に並べて表示されている。
【０１０３】
これ以後、３つのグレーパッチ（２）〜（４）の全てを端末装置の表示部に表示させるまで上記動作が繰り返し行われる。
【０１０４】
なお、第１の詳細選択画面において、第２または第２−１のグレーパッチ（２）または（２−１）が選択された場合、第１のグレーバランス補正部４２は、第２−２のグレーパッチ（２−２）が選択された場合と同様に動作する。
一方、第１のグレーパッチ（１）が選択された場合、第２の選択画面以降の選択画面は表示されず、入力画像のグレーバランスも補正されない。
また、「戻る」と記載されたボタンが選択された場合、同図左部に示す第１の選択画面に戻る。
【０１０５】
つまり、この例では、第１のグレーバランス補正部４２は、選択画面として、２つのグレーパッチを同時に端末装置の表示部に表示させた後、グレーパッチの詳細選択画面を表示する指示が入力された場合に、グレーパッチの詳細選択画面として、前述の２つのグレーパッチ、および、２つのグレーパッチのうちの第２、第３または第４のグレーパッチ（２）、（３）または（４）のＢ、ＲまたはＧの値が異なる１以上のグレーパッチからなる３以上のグレーパッチを同時に端末装置の表示部に表示させる。
そして、３以上のグレーパッチの中から、第１のグレーパッチ（１）以外のグレーパッチが選択された場合に、次の選択画面として、３以上のグレーパッチの中から選択された１つのグレーパッチ、および、３つのグレーパッチ（２）〜（４）のうちの、端末装置の表示部に表示させていない１つのグレーパッチからなる２つのグレーパッチを表示させる。
【０１０６】
第１のグレーバランス補正部４２は、図１０中央部に示す第１の詳細選択画面の４つのグレーパッチ（１）、（２）、（２−１）および（２−２）として、図１１に示すように、各々が４つのグレーパッチ（１）、（２）、（２−１）および（２−２）の間で分割された１つの顔画像を含む４つのグレーパッチ（１）、（２）、（２−１）および（２−２）を表示させてもよい。第２および第３の選択画面の後に表示させることが可能な第２および第３の詳細選択画面についても同様である。
【０１０７】
また、第１のグレーバランス補正部４２は、選択画面として、２つのグレーパッチを同時に端末装置の表示部に表示させた後、グレーパッチの詳細選択画面を表示する指示が入力された場合に、詳細選択画面として、第１のグレーパッチ（１）と、２つのグレーパッチのうちの第２、第３または第４のグレーパッチ（２）、（３）または（４）、および、２つのグレーパッチのうちの第２、第３または第４のグレーパッチ（２）、（３）または（４）のＢ、ＲまたはＧの値が異なる１以上のグレーパッチからなる２以上のグレーパッチのうちの１つのグレーパッチとからなる２つのグレーパッチを同時に端末装置の表示部に表示させることを、第１、第２、第３または第４のグレーパッチ（１）、（２）、（３）または（４）が選択されるか、あるいは、２以上のグレーパッチの全てを端末装置の表示部に表示させるまで繰り返し行って、グレーパッチを選択させるようにしてもよい。
【０１０８】
例えば、図１２に示すように、第１の詳細選択画面として、第１および第２−１のグレーパッチ（１）および（２−１）からなる２つのグレーパッチを表示させる。
続いて、「同じ」と記載されたボタンが選択された場合に、第２の詳細選択画面として、第１および第２−２のグレーパッチ（１）および（２−２）からなる２つのグレーパッチを表示させる。
続いて、「同じ」と記載されたボタンが選択された場合に、第３の詳細選択画面として、第１および第２のグレーパッチ（１）および（２）からなる２つのグレーパッチを表示させる。
なお、いずれかの詳細選択画面において、第１、第２−１、第２−２または第２のグレーパッチ（１）、（２−１）、（２−２）または（２）が選択された場合、それ以後の詳細選択画面は表示されない。
【０１０９】
また、いずれかの詳細選択画面の２つのグレーパッチの中から、第１のグレーパッチ（１）以外のグレーパッチが選択された場合に、確認画面として、図１２に示すように、第１のグレーパッチ（１）以外のグレーパッチが選択された詳細選択画面の２つのグレーパッチを同時に端末装置の表示部に表示させてもよい。
図１２の例では、第３の詳細選択画面において第２のグレーパッチ（２）が選択された場合に、確認画面として、第１および第２のグレーパッチ（１）および（２）からなる２つのグレーパッチ（１）および（２）が表示されている。
【０１１０】
同様に、第１および第２−１のグレーパッチ（１）および（２−１）からなる２つのグレーパッチを表示させるときに、図１２に示すように、各々が２つのグレーパッチ（１）および（２−１）の間で分割された１つの顔画像を含む２つのグレーパッチを表示させてもよい。第２および第３の詳細選択画面、ならびに、確認画面の２つのグレーパッチについても同様である。
【０１１１】
なお、端末装置の表示部に表示される画像は、表示部の輝度に応じて色域が変化する。従って、表示部の輝度に合わせて、入力画像の色変換を行うことが望ましい。
第１の色変換部２０は、プリント装置でプリントされる入力画像の色が、取得された端末情報に対応する端末装置の表示部に設定されている輝度で、取得された端末情報に対応する端末装置の表示部に表示される入力画像の色と同じになるように、入力画像を色変換するものであるが、例えば、取得された端末情報に対応する端末装置の表示部に設定可能な最大輝度で、もしくは、従来の表示装置の標準的な輝度とされる１００〜１２０カンデラ毎平方メートルの輝度で、入力画像を色変換する構成としてもよい。
【０１１２】
また、色域情報記憶部１２、入力画像取得部１４、端末情報取得部１６、入力画像判別部１８、第１および第２の色変換部２０および２２、第１および第２のセットアップ部２６および３０、第１および第２のマッピング部２８および３２、第１および第２のグレーバランス補正部４２および４４の構成は何ら限定されず、上記実施形態の各構成要素と同様の機能を実現することができる各種の構成のものを採用することができる。
【０１１３】
本発明の方法は、例えば、その各々のステップをコンピュータに実行させるためのプログラムにより実施することができる。また、このプログラムが記録されたコンピュータ読み取り可能な記録媒体を提供することもできる。
【０１１４】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【０１１５】
１０、４０  画像処理装置
１２  色域情報記憶部
１４  入力画像取得部
１６  端末情報取得部
１８  入力画像判別部
２０  第１の色変換部
２２  第２の色変換部
２４  プリント装置
２６  第１のセットアップ部
２８  第１のマッピング部
３０  第２のセットアップ部
３２  第２のマッピング部
４２  第１のグレーバランス補正部
４４  第２のグレーバランス補正部
【図１】
0005872515.tif 000002
【図２】
0005872515.tif 000003
【図３】
0005872515.tif 000004
【図４】
0005872515.tif 000005
【図５】
0005872515.tif 000006
【図６】
0005872515.tif 000007
【図７】
0005872515.tif 000008
【図８】
0005872515.tif 000009
【図９】
0005872515.tif 000010
【図１０】
0005872515.tif 000011
【図１１】
0005872515.tif 000012
【図１２】
0005872515.tif 000013
【図１３】
0005872515.tif 000014
【図１４】
0005872515.tif 000015